【手続補正書】
【提出日】平成15年11月26日(2003.11.26)
【手続補正１】
【補正対象書類名】明細書
【補正対象項目名】発明の名称
【補正方法】変更
【補正の内容】
【発明の名称】ネットワーク・インターフェース装置、デバイス端末装置、及びネットワーク・インターフェース装置の制御方法
【手続補正２】
【補正対象書類名】明細書
【補正対象項目名】特許請求の範囲
【補正方法】変更
【補正の内容】
【特許請求の範囲】
【請求項１】
ネットワーク上の端末装置と周辺機器との間のインターフェースを司るネットワーク・インターフェース装置において、
前記周辺機器に関する情報を取得する情報取得手段と、
前記情報取得手段で取得した情報に基づき通知メッセージを作成するメッセージ作成手段と、
前記通知メッセージを通知先データに基づいて送信するメッセージ送信手段と、
前記メッセージ送信手段による前記通知メッセージの送信時において送信エラーが発生した場合に、所定の処理を実行するエラー時処理手段とを備えたことを特徴とするネットワーク・インターフェース装置。
【請求項２】
前記エラー時処理手段が実行する前記所定の処理は、各種のリカバリ動作、又は規定の動作であることを特徴とする請求項１記載のネットワーク・インターフェース装置。
【請求項３】
前記エラー時処理手段が実行する前記所定の処理は、前記通知メッセージを再送信すること、又は前記通知メッセージを前記周辺機器に印刷させること、又は前記通知メッセージを再送信した後に前記通知メッセージを前記周辺機器に印刷させることであることを特徴とする請求項１記載のネットワーク・インターフェース装置。
【請求項４】
前記エラー時処理手段が実行する前記所定の処理は、各種のリカバリ動作、または規程の動作であって、前記リカバリ動作並びに前記規定動作のいずれを行うかを、当該ネットワーク・インターフェース装置内に設定された設定値によって制御する手段を有することを特徴とする請求項１記載のネットワーク・インターフェース装置。
【請求項５】
当該ネットワーク・インターフェース装置内に設定された各種情報によって前記リカバリ動作を制御する手段を有することを特徴とする請求項２または請求項４記載のネットワーク・インターフェース装置。
【請求項６】
当該ネットワーク・インターフェース装置内に設定された各種情報によって前記規程動作を制御する手段を有することを特徴とする請求項３または請求項４記載のネットワーク・インターフェース装置。
【請求項７】
前記周辺機器に関する情報は、前記周辺機器から発せられた情報であり、前記周辺機器の状態を示す状態情報を含むことを特徴とする請求項１乃至請求項６記載のネットワーク・インターフェース装置。
【請求項８】
前記状態情報の変化を示す状態変化信号を前記周辺機器から受け取ってその内容を判断し、その判断結果に応じて前記メッセージ送信手段による通知メッセージの送信動作を制御する手段を備えたことを特徴とする請求項７記載のネットワーク・インターフェース装置。
【請求項９】
前記状態情報の変化を示す状態変化信号を前記周辺機器から受け取ってその内容を判断し、その判断結果に応じて前記メッセージ作成手段によって作成される前記通知メッセージの内容を制御する手段を備えたことを特徴とする請求項７記載のネットワーク・インターフェース装置。
【請求項１０】
前記通知メッセージの条件を決定するための設定値を装置内に用意し、
前記状態情報の変化を示す状態変化信号を前記周辺機器から受け取ってその内容を判断し、その判断結果と前記設定値に応じて前記メッセージ送信手段による通知メッセージの送信動作を制御する手段を備えたことを特徴とする請求項７記載のネットワーク・インターフェース装置。
【請求項１１】
前記通知メッセージの条件を決定するための設定値を装置内に用意し、
前記状態情報の変化を示す状態変化信号を前記周辺機器から受け取ってその内容を判断し、その判断結果と前記設定値に応じて前記メッセージ作成手段によって作成される前記通知メッセージの内容を制御する手段を備えたことを特徴とする請求項７記載のネットワーク・インターフェース装置。
【請求項１２】
前記状態情報の変化を示す状態変化信号を前記周辺機器から受け取ってその内容から前記周辺機器の状態レベルを設定し、その状態レベルに応じて前記メッセージ送信手段による通知メッセージの通知レベルを制御する手段を備えたことを特徴とする請求項７記載のネットワーク・インターフェース装置。
【請求項１３】
前記状態情報の変化を示す状態変化信号を前記周辺機器から受け取ってその内容から前記周辺機器の状態レベルを設定し、その状態レベルに応じて前記メッセージ作成手段によって作成される前記通知メッセージの内容を制御する手段を備えたことを特徴とする請求項７記載のネットワーク・インターフェース装置。
【請求項１４】
前記メッセージ作成手段は、前記情報取得手段で取得した情報に基づき作成したメッセージを、予め用意しておいたメッセージ文に挿入して前記通知メッセージを作成することを特徴とする請求項１乃至請求項１３記載のネットワーク・インターフェース装置。
【請求項１５】
前記メッセージ作成手段は、前記周辺機器または当該ネットワーク・インターフェース装置内から取得されるロケール情報に基づいて、作成する前記通知メッセージの言語を決定することを特徴とする請求項１乃至請求項１４記載のネットワーク・インターフェース装置。
【請求項１６】
デバイス本体部と、前記デバイス本体部とネットワーク上の端末装置との間のインターフェースを司るネットワーク・インターフェース部とを備えたデバイス端末装置において、
前記ネットワーク・インターフェース部は、
前記デバイス本体部に関する情報を取得する情報取得手段と、
前記情報取得手段で取得した情報に基づき通知メッセージを作成するメッセージ作成手段と、
前記通知メッセージを通知先データに基づいて送信するメッセージ送信手段と、
前記メッセージ送信手段による前記通知メッセージの送信時において送信エラーが発生した場合に、所定の処理を実行するエラー時処理手段とを備えたことを特徴とするデバイス端末装置。
【請求項１７】
ネットワーク上の端末装置と周辺機器との間のインターフェースを司るネットワーク・インターフェース装置の制御方法において、
前記周辺機器に関する情報を取得する情報取得行程と、
前記情報取得行程で取得した情報に基づき通知メッセージを作成するメッセージ作成行程と、
前記通知メッセージを通知先データに基づいて送信するメッセージ送信行程と、
前記メッセージ送信行程による前記通知メッセージの送信時において送信エラーが発生した場合に、所定の処理を実行するエラー時処理行程とを備えたことを特徴とするネットワーク・インターフェース装置の制御方法。
【手続補正３】
【補正対象書類名】明細書
【補正対象項目名】０００１
【補正方法】変更
【補正の内容】
【０００１】
【発明の属する技術分野】
本発明は、ネットワーク上の端末装置とデバイス本体との間のインターフェースを司る機能を有するネットワーク・インターフェース装置等に関するものである。


【手続補正４】
【補正対象書類名】明細書
【補正対象項目名】００１３
【補正方法】変更
【補正の内容】
【００１３】
本発明は上記従来の問題点に鑑み、専用のアプリケーションをインストールしてこの操作に精通するといったような過度の操作負担をユーザに強いることなく、ネットワークに接続されている周辺機器デバイスにエラーが発生した場合に、当該エラー情報を複数の外部装置に容易且つ迅速に通知することができ、発生したエラーに迅速に対処することを可能にするネットワーク・インターフェース装置、デバイス端末装置、及びネットワーク・インターフェース装置の制御方法を提供することを目的とする。


【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】変更
【補正の内容】
【００４５】
請求項１７記載の発明に係るネットワーク・インターフェース装置の制御方法では、ネットワーク上の端末装置と周辺機器との間のインターフェースを司るネットワーク・インターフェース装置の制御方法において、前記周辺機器に関する情報を取得する情報取得行程と、前記情報取得行程で取得した情報に基づき通知メッセージを作成するメッセージ作成行程と、前記通知メッセージを通知先データに基づいて送信するメッセージ送信行程と、前記メッセージ送信行程による前記通知メッセージの送信時において送信エラーが発生した場合に、所定の処理を実行するエラー時処理行程とを備えたことを特徴とする。


【手続補正２１】
【補正対象書類名】明細書
【補正対象項目名】００４６
【補正方法】削除
【補正の内容】
【手続補正２２】
【補正対象書類名】明細書
【補正対象項目名】００４７
【補正方法】削除
【補正の内容】
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】削除
【補正の内容】
【手続補正２５】
【補正対象書類名】明細書
【補正対象項目名】００５０
【補正方法】削除
【補正の内容】
【手続補正２６】
【補正対象書類名】明細書
【補正対象項目名】００５１
【補正方法】削除
【補正の内容】
【手続補正２７】
【補正対象書類名】明細書
【補正対象項目名】００５２
【補正方法】削除
【補正の内容】
【手続補正２８】
【補正対象書類名】明細書
【補正対象項目名】００５３
【補正方法】削除
【補正の内容】
【手続補正２９】
【補正対象書類名】明細書
【補正対象項目名】００５４
【補正方法】削除
【補正の内容】
【手続補正３０】
【補正対象書類名】明細書
【補正対象項目名】００５５
【補正方法】削除
【補正の内容】
【手続補正３１】
【補正対象書類名】明細書
【補正対象項目名】００５６
【補正方法】削除
【補正の内容】
【手続補正３２】
【補正対象書類名】明細書
【補正対象項目名】００５７
【補正方法】削除
【補正の内容】
【手続補正３３】
【補正対象書類名】明細書
【補正対象項目名】００５８
【補正方法】削除
【補正の内容】
【手続補正３４】
【補正対象書類名】明細書
【補正対象項目名】００５９
【補正方法】削除
【補正の内容】
【手続補正３５】
【補正対象書類名】明細書
【補正対象項目名】００６０
【補正方法】削除
【補正の内容】
【手続補正３６】
【補正対象書類名】明細書
【補正対象項目名】００６１
【補正方法】削除
【補正の内容】
【手続補正３７】
【補正対象書類名】明細書
【補正対象項目名】００６２
【補正方法】削除
【補正の内容】
【手続補正３８】
【補正対象書類名】明細書
【補正対象項目名】００６３
【補正方法】削除
【補正の内容】
【手続補正３９】
【補正対象書類名】明細書
【補正対象項目名】００６４
【補正方法】削除
【補正の内容】
【手続補正４０】
【補正対象書類名】明細書
【補正対象項目名】００６５
【補正方法】削除
【補正の内容】
【手続補正４１】
【補正対象書類名】明細書
【補正対象項目名】００６６
【補正方法】削除
【補正の内容】
【手続補正４２】
【補正対象書類名】明細書
【補正対象項目名】００６７
【補正方法】削除
【補正の内容】
【手続補正４３】
【補正対象書類名】明細書
【補正対象項目名】００６８
【補正方法】削除
【補正の内容】
【手続補正４４】
【補正対象書類名】明細書
【補正対象項目名】００６９
【補正方法】削除
【補正の内容】
【手続補正４５】
【補正対象書類名】明細書
【補正対象項目名】００７０
【補正方法】削除
【補正の内容】
【手続補正４６】
【補正対象書類名】明細書
【補正対象項目名】００７１
【補正方法】削除
【補正の内容】
【手続補正４７】
【補正対象書類名】明細書
【補正対象項目名】００７２
【補正方法】削除
【補正の内容】
【手続補正４８】
【補正対象書類名】明細書
【補正対象項目名】００７３
【補正方法】削除
【補正の内容】
【手続補正４９】
【補正対象書類名】明細書
【補正対象項目名】００７４
【補正方法】削除
【補正の内容】